(57)【特許請求の範囲】
【請求項１】
一の梁の側面に他の梁の端部が接続されて梁同士が直交する接続隅部における気密構造であって、相互に直交する一の梁の側部を覆う面及び他の梁の側部を覆う面と、該２面の上端部に形成されて各梁の上面と密着する折曲がり部とを有する第１の気密部材が、前記接続隅部に覆設され、シート状の第２の気密部材が、各梁の側部を覆い、かつ、上記第１の気密部材とそれぞれ密接し重なり部分を持つように配設され、さらに断熱材を前記第１及び第２の気密部材と梁の屋内側のH型溝との間に隙間なく配設するものであることを特徴とする梁の接続隅部における気密構造。
【発明の詳細な説明】
【０００１】
【発明の属する技術分野】
本発明は、住宅等の建築物の気密構造、特に梁の接続隅部における気密構造に関するものである。
【０００２】
【従来の技術】
近年、住宅には、計画的な換気による住宅の快適性の向上や、断熱性の向上による省エネルギー化を図るために、住宅の気密性が求められるようになってきている。一般に、気密住宅とは、気密性能を表す相当隙間面積が１平方メートル当たり５平方センチメートル以下のものをいい、これを達成するために、住宅の内部空間全体を気密面で囲うように気密工法が施工される。
【０００３】
気密面の設定の方法として、１階と２階以上のそれぞれを、独自の気密面で囲う方法と、１階と２階以上の全体を気密面で囲う方法とがある。後者を採用した場合には、気密工法を施工する面積が少なくなるという利点があるが、１階と２階の間の梁部分、特に梁の接続隅部の気密を確保することが難しい。
【０００４】
現在、住宅の１階と２階との間に設けられる梁の気密を確保する方法として、湿式気密工法と乾式気密工法とがある。
湿式気密工法は、梁の接続隅部等にウレタン等の樹脂を吹き付けることにより気密性を確保するものであるが、ウレタンを吹き付ける際に、有毒ガスの疑いがある塩素系ガスが発生するので、作業者の安全を確保するために、同時進行で内装工事等を施工することができない。また、ウレタンの吹付けは、大工等は行うことができず、専門工を必要とする。これらにより、湿式気密工法は、施工効率が悪いという問題があった。
【０００５】
一方、乾式気密工法では、上記問題を解決することができるが、梁の接続隅部等は、その形状が複雑なものであるため、気密性を確保することが困難であった。
図７は、１階と２階（或いは２階と３階）との間に設けられた梁の配置を示した平面図であり、図中の斜線部は気密面を設けるべき気密ラインを示している。梁の接続隅部には、図示するように、気密ラインの出隅部Ａ、入隅部Ｂ、入隅部であって梁つなぎが接続している入隅部Ｃがある。
出隅部Ａは、図８に示すように、Ｈ型の梁１ａを勝ち側として、該梁１ａに、接続端部２０を有するＨ型の梁１ｂを直交して当接し、該接続端部２０に設けられた挿通孔と梁１ａに設けられた挿通孔とを挿通するボルト２１により固定したものである。
【０００６】
上記出隅部Ａにおける従来の乾式気密工法では、図９に示すように、厚さ約０．２ミリメートルのポリエチレンフィルムからなる気密シート４を、梁１ａ及び梁１ｂの形状に沿って折り曲げて密着し、気密シート４の接続部分にアルミテープ５を折り曲げて貼り付け、密封していた。
【０００７】
【発明が解決しようとする課題】
しかし、図９に示す工法では、気密シート４を梁の形状に沿って複雑な形状に折り曲げ、接続隅部に貼り付ける必要があるが、梁の接続隅部の形状は複雑であるので、その施工は容易でない。また、梁の接続隅部の形状に従い、適宜、現場において気密シート４の加工が必要となる。
また、アルミテープ５を複雑な形状に合わせて折り曲げながら貼り付けるので、アルミテープ５に歪みや隙間が生じやすく、これにより、気密性を十分に確保できないという問題がある。
【０００８】
本発明は、上記の点に鑑みてなされたものであり、住宅等の梁の接続隅部における気密性を確保し、かつ、施工が容易な、梁の接続隅部の気密構造を提供することを目的とする。
【０００９】
【課題を解決するための手段】
上記目的を達成するためになされた本発明に係る発明は、一の梁の側面に他の梁の端部が接続されて梁同士が直交する接続隅部における気密構造であって、相互に直交する一の梁の側部を覆う面及び他の梁の側部を覆う面と、該２面の上端部に形成されて各梁の上面と密着する折曲がり部とを有する第１の気密部材が、前記接続隅部に覆設され、シート状の第２の気密部材が、各梁の側部を覆い、かつ、上記第１の気密部材とそれぞれ密接し重なり部分を持つように配設され、さらに断熱材を前記第１及び第２の気密部材と梁の屋内側のH型溝との間に隙間なく配設するものである。
【００１０】
【発明の実施の形態】
以下、本発明の実施の形態を図面に基づき具体的に説明する。
図１は、本発明の実施例に係る梁の接続隅部における気密構造を示すものである。本気密構造は、図７に示す出隅部Ａにおけるものであり、梁１ａと梁１ｂとが接続した出隅部Ａに、気密カバー１０を配設し、梁１ａ、１ｂの屋内側に気密シート４を、該気密カバー１０との重なり部分をもつように配設したものである。
【００１１】
図１に示すように、本気密構造は、梁１ａと梁１ｂとの接続隅部に、気密カバー１０を、梁１ａ、１ｂの上面、及び断熱内壁枠８に密接するように設けてアルミテープ５で密着し、気密シート４を、梁１ａ及び梁１ｂの屋内側に、該気密カバー１０と重なるように配設したものである。また、梁１ａ、１ｂは、軸組７上に設けられており、該軸組７の屋内側には断熱内壁枠８が配設されている。さらに、梁１ａ、１ｂが有するＨ型溝の屋内側の空間、及び梁１ａ、１ｂと断熱内壁枠８との間に形成される空間には断熱材９が配置されている。
【００１２】
以下、本気密構造の詳細について、図２から図６に基づいて説明する。
図２に示すように、出隅部Ａは、図８と同様に、Ｈ型の梁１ａに、接続端部２０を有するＨ型の梁１ｂを直交して当接し、該接続端部２０に設けられた挿通孔と梁１ａに設けられた挿通孔とを挿通するボルト２１により固定したものであり、本気密構造においては、まず、気密カバー１０を、当該出隅部Ａに配設する。
【００１３】
図３及び図４は、上記気密カバー１０の構成を示すものであり、該気密カバー１０の平面図及び視点Ｘからみた図である。図３及び図４に示すように、気密カバー１０は、梁１ａの側部を覆う面と、梁１ｂの側部を覆う面とが直交した板状体からなるものであり、ポリプロピレン製のものである。該気密カバー１０の上端部には、該二面と直交する折曲がり部１０ａが設けられ、該折曲がり部１０ａの下面側には両面テープ１０ｂが貼り付けられている。該両面テープ１０ｂは、上記折曲がり部１０ａと梁１ａ、１ｂの上面とを密着させ、気密性を確保するためのものである。一方、気密カバー１０の下端部は、断熱内壁枠８の表面と密接するように、適宜、折り曲げられている。
【００１４】
図５は、上記気密カバー１０を当該出隅部Ａに配設した状態を示すものである。図示するように、気密カバー１０の折曲がり部１０ａは、両面テープ１０ｂにより、梁１ａ、１ｂの上面と密着している。
【００１５】
つぎに、図６に示すように、断熱材９を、梁１ａ、１ｂの屋内側のＨ型溝、及び梁１ａ、１ｂと断熱内壁枠８との間に形成される空間に隙間なく配設する。該断熱材９は、グラスウール製のものであり、予め配設すべき空間に合致するように裁断し、繊維の飛散等を防止するために合成樹脂等の袋体に詰めておく。
また、気密カバー１０の下端と断熱内壁枠８とをアルミテープ５を用いて密着する。
【００１６】
最後に、図１に示すように、気密シート４を、梁１ａ、１ｂの屋内側に、気密カバー１０と重なるように貼り付ける。気密シート４の上端側は、外周梁１ａ、１ｂの上方に載置される軽量気泡コンクリート板等（図示せず）に沿って折り曲げ、下端側は、断熱内壁枠８を覆うように貼り付ける。
【００１７】
このように、本実施例による梁の接続隅部における気密構造によれば、梁１ａと梁１ｂとの接続隅部に、気密カバー１０を、梁１ａ、１ｂの上面、及び断熱内壁枠８に密接するように設けてアルミテープ５で密着し、気密シート４を、梁１ａ及び梁１ｂの屋内側に、該気密カバー１０と重なるように配設したので、梁の接続隅部における気密性を確保でき、また、その施工を容易なものとできる。
【００１８】
なお、上記実施例において、気密カバー１０は、ポリプロピレン製のものとしたが、気密性を有するその他の樹脂や金属等の素材のものとしても、上記実施例と同様の効果を得ることができる。また、気密カバーと梁等との密着にはアルミテープを用いることとしたが、気密性を有するその他の樹脂等のテープを用いても、或いは、接着剤等を用いて密着することとしても、上記各実施例と同様の効果を得ることができる。
また、断熱材９は、グラスウールの他、ロックウールや発泡性樹脂等の素材のものを用いてもよい。なお、断熱材９は、屋内の保温性を確保するためのものであり、気密性を確保するためのものではないので、断熱材９を配置しなくとも、実施例の効果が損なわれることはない。
【００１９】
【発明の効果】
以上説明したように、本発明によれば、相互に直交する一の梁の側部を覆う面及び他の梁の側部を覆う面と、該２面の上端部に形成されて各梁の上面と密着する折曲がり部とを有する第１の気密部材が、前記接続隅部に覆設され、シート状の第２の気密部材が、各梁の側部を覆い、かつ、上記第１の気密部材とそれぞれ密接し重なり部分を持つように配設され、さらに断熱材を前記第１及び第２の気密部材と梁の屋内側のH型溝との間に隙間なく配設するので、梁の接続隅部における気密性を確保することができる。また、現場で気密シート等を加工する必要も減るので、気密工法の施工を容易なものとできる。
【図面の簡単な説明】
【図１】本発明の第１の実施例に係る出隅部Ａにおける気密構造の構成を示す概略斜視図である。
【図２】出隅部Ａに気密カバー１０を配設する位置を示す概略斜視図である。
【図３】気密カバー１０の構成を示す平面図である。
【図４】視点Ｘからみた気密カバー１０の構成を示す図である
【図５】出隅部Ａに気密カバー１０を配設した状態を示す概略斜視図である。
【図６】出隅部Ａに気密カバー１０及び断熱材９を配設した状態を示す概略斜視図である。
【図７】住宅の梁の配置を示す平面図である。
【図８】出隅部Ａの構成を示す概略斜視図である。
【図９】出隅部Ａにおける従来の気密構造の構成を示す概略斜視図である。
【符号の説明】
１ａ、１ｂ  梁
１０  気密カバー（第１の気密部材）
１０ａ  折曲がり部
２０  接続端部
４  気密シート（第２の気密部材）
【図１】
0003821289.tif 000002
【図２】
0003821289.tif 000003
【図３】
0003821289.tif 000004
【図４】
0003821289.tif 000005
【図５】
0003821289.tif 000006
【図６】
0003821289.tif 000007
【図７】
0003821289.tif 000008
【図８】
0003821289.tif 000009
【図９】
0003821289.tif 000010